(57)【特許請求の範囲】
【請求項１】
ハウジング本体内に収納された給油機構を監視し、給油所作業者が携帯する端末からの日常点検時における任意のタイミングでの要求に応じて該給油機構の監視情報を外部へ出力する監視装置を備えることを特徴とする給油装置。
【請求項２】
前記監視情報は、前記給油機構を撮影した動画又は／及び静止画であることを特徴とする請求項１に記載の給油装置。
【請求項３】
前記給油機構は、油種毎に複数設けられ、各々異なる色で塗装されることを特徴とする請求項２に記載の給油装置。
【請求項４】
前記監視情報は、前記給油機構から検出した音を含むことを特徴とする請求項１、２又は３に記載の給油装置。
【発明の詳細な説明】
【技術分野】
【０００１】
本発明は、自動車等の車両に燃料油を供給する給油装置に関し、特に、給油の際の安全を確保しつつ、油の漏洩による土壌汚染を防止する給油装置に関する。
【背景技術】
【０００２】
上記給油装置は、各種の燃料油を車両に供給するために複数油種の給油系統が組み込まれている。給油装置の下部ケースには、給油ポンプ、流量計等の給油機構が収納され、上部ケースには給油量表示器及びキーパッド等の電子機器が収納されている。
【０００３】
前記下部ケースの前面には、内部の給油機構を点検するためにフロントパネルが着脱自在に設けられる。このフロントパネルは、大型で重く、着脱の際に大きな労力を要するため、日常点検は給油装置の外観を確認するに留まり、内部の給油機構についてはある程度期間を空けて行われていた。しかし、給油機構から燃料油が漏れると地中に染み込んで土壌汚染を引き起こしたり、漏出した燃料油に引火すれば火災が発生する虞がある。
【０００４】
そこで、本出願人は、計量器の下方に位置する給油ピットに設けられ、燃料油が地中に染み込むことを防止するために土壌の表面を覆うサンプと、給油ピット内に設けられ、燃料油の漏洩を検出して検出信号を出力する液溜センサと、液溜センサから検出信号を受けて燃料油の漏洩を報知する報知器等を備え、液溜センサから検出信号を受けて駆動停止する給油装置を提案した（例えば、特許文献１）。
【先行技術文献】
【特許文献】
【０００５】
【特許文献１】特開２００８−１７９１９９号公報
【発明の概要】
【発明が解決しようとする課題】
【０００６】
しかし、上記特許文献１に記載の技術では、液溜センサによって燃料油の漏洩が生じたことを把握することはできるものの、給油機構の異常を早期に発見することは困難であり、また、具体的な漏洩箇所を特定するには作業員が実際に目視にて確認しなければならないため、対応が遅れる虞があり、改善の余地があった。
【０００７】
そこで、本発明は、上記問題点に鑑みてなされたものであって、給油機構の異常を早期に発見し、漏洩箇所等の異常箇所を容易に特定することができる給油装置を提供することを目的とする。
【課題を解決するための手段】
【０００８】
上記目的を達成するため、本発明は、給油装置であって、ハウジング本体内に収納された給油機構を監視し、給油所作業者が携帯する端末からの日常点検時における任意のタイミングでの要求に応じて該給油機構の監視情報を外部へ出力する監視装置を備えることを特徴とする。
【０００９】
本発明によれば、給油所作業者が携帯する端末によってハウジング本体内に収納された給油機構を監視するため、フロントパネルを脱着しなくともハウジング本体内の給油機構を監視することができる。
【００１０】
上記給油装置において、前記監視情報を、前記給油機構を撮影した動画又は／及び静止画とすることができる。これにより、給油所作業者が携帯する端末を介して画像をリアルタイムで見たり、点検時に過去の画像を見ることで、給油機構の異常の早期発見、漏洩箇所等の異常箇所の特定を容易に行うことができる。
【００１１】
前記給油機構を、油種毎に複数設け、各々異なる色で塗装することができる。これにより、複数の給油機構の中から異常が発生した給油機構を即座に特定することができる。
【００１２】
前記監視情報は、前記給油機構から検出した音を含むことができる。これにより、画像で判断できない給油機構の異常や漏洩箇所等の異常箇所の特定を容易に行うことができる。
【発明の効果】
【００１３】
以上のように、本発明によれば、給油機構の異常を早期に発見し、漏洩箇所等の異常箇所を容易に特定可能な給油装置を提供することができる。
【図面の簡単な説明】
【００１４】
【図１】本発明に係る給油装置の一実施の形態を示す概略図である。
【図２】本発明に係る給油装置の日常点検動作を説明するためのフローチャートである。
【図３】図１に示す給油装置の日常点検を行う際に携帯端末に表示される画面の一例を示す概略図である。
【図４】図１に示す給油装置の日常点検を行う際に携帯端末に表示される画面の一例を示す概略図である。
【発明を実施するための形態】
【００１５】
次に、本発明を実施するための形態について、図面を参照しながら詳細に説明する。
【００１６】
まず、本発明に係る給油装置の構成について図１を参照しながら説明する。給油装置１は、アイランド１０上に設置されて上部ケース３及び下部ケース５を有するハウジング本体２を備える。アイランド１０には給油ピット１１が形成され、燃料油の漏洩による土壌汚染を防止するために土壌表面を覆うサンプ（不図示）と、給油ピット１１内を撮影する監視装置としてのカメラ６１、及び給油ピット内の音を検出するマイクロフォン７１とが設けられる。
【００１７】
上部ケース３には、給油量表示器やキーパッド等の電子機器（不図示）が収納されると共に、給油装置１全体を制御する給油制御機器４が収納される。尚、給油制御機器４の詳細については後述する。
【００１８】
一方、下部ケース５には、着脱自在のフロントパネル（不図示）が設けられ、この中には、３つの給油機構６（６Ａ〜６Ｃ）が配置され、これらの給油機構６は、油種毎に異なる色で塗装される。例えば、レギュラーガソリンの給油機構６Ａをオレンジ色、軽油の給油機構６Ｂを黄色、ハイオクの給油機構６Ｃを赤色で各々塗装する。これにより、後述する給油装置１の日常点検において異常が生じた給油機構を特定し易くなる。以下、レギュラーガソリンの給油機構６Ａの構成について説明するが、給油機構６Ｂ、６Ｃも同じ構成を有する。
【００１９】
給油機構６Ａは、給油モータ５２によって駆動されて給油管５０を通じて地下タンク（不図示）から燃料油を汲み上げる給油ポンプ５１と、燃料油の汲み上げ量を計測する流量計５３等からなる。ここで、給油ポンプ５１の流入側のチャッキ弁５１ａ、ポンプ軸５１ｂ、及び吐出口５１ｃは、燃料油の漏れが生じ易い箇所である。
【００２０】
給油機構６Ａには、監視装置としてのカメラ６２〜６４、及び上記給油機構から生じる音を検出する２つのマイクロフォン７２、７３が各々設けられる。
【００２１】
カメラ６２〜６４及びマイクロフォン７２〜７３は、上記燃料油の漏れが生じ易いチャッキ弁５１ａ、ポンプ軸５１ｂ及び吐出口５１ｃとを監視するために設けられ、携帯端末Ｔから受信した信号に応じて、過去に撮影した音声を含む画像（動画又は静止画）を携帯端末Ｔに対して出力したり、撮影した動画（音声あり）をリアルタイムで出力する。尚、給油ポンプ５１の吐出口５１ｃから燃料油が漏れた場合には、異音が生じ難いためマイクロフォンを設置せずにカメラ６４のみを設置している。
【００２２】
携帯端末Ｔは、Wi-Fi、Bluetooth（登録商標）又はＮＦＣ経由で給油装置１と通信可能に構成され、給油装置１の日常点検時に作業者が操作を行うためのものであって、カメラ６１〜６４及びマイクロフォン７１〜７３が過去に撮影した画像を再生するための再生釦や、カメラ６１〜６４及びマイクロフォン７１〜７３が撮影する動画をリアルタイムで取得するための撮影釦、後述する日常点検の点検結果としてのチェックシートを発行するチェックシート釦等を備える。尚、本実施の形態においては、これらの釦をタッチパネルを採用した携帯端末Ｔの画面に表示する。
【００２３】
給油装置１の上部ケース３に収納される給油制御機器４は、携帯端末Ｔと情報の授受を行うための送受信手段４ａと、カメラ６１〜６４の動画撮影／静止画撮影を切り替えるなどの制御を行う画像制御手段４ｂと、給油機構の制御を行う給油制御手段４ｃとで構成される。
【００２４】
次に、上記構成を有する給油装置１の日常点検動作について、図１乃至図４を参照しながら説明する。尚、下記ステップは図２の記載に対応する。
【００２５】
はじめに、カメラ６１〜６４及びマイクロフォン７１〜７３が過去に撮影した動画を再生する動作（（１）再生動作）について説明し、次に、カメラ６１〜６４及びマイクロフォン７１〜７３が撮影する動画をリアルタイムで取得する動作（（２）撮影動作）について説明し、最後に、（１）再生動作や（２）撮影動作に基づいて日常点検の結果をまとめたチェックシートを発行する動作（（３）チェックシート発行動作）について説明する。
【００２６】
（１）再生動作
携帯端末Ｔにおいて、作業者が通信を開始すると（ステップＳ１；Ｙｅｓ）、携帯端末Ｔ上に図３（ａ）に示す日常点検メニューが表示され、作業者がこの中から内部機構を選択すると、図４（ａ）に示す携帯端末Ｔの表示画面において再生釦を押下し、次に、図４（ｂ）に示す再生対象として、例えばチャッキ弁５１ａを選択すると（ステップＳ２；Ｙｅｓ）、選択されたチャッキ弁５１ａの動画要求を給油装置１に対して出力する（ステップＳ３）。
【００２７】
給油装置１が通信を開始し（ステップＳ２１；Ｙｅｓ）、動画要求が入力されると（ステップＳ２２；Ｙｅｓ）、携帯端末Ｔにおいて選択されたチャッキ弁５１ａの動画を読み出して携帯端末Ｔに対して送信し（ステップＳ２５）、給油装置１の動作を終了する。
【００２８】
携帯端末Ｔは、給油装置１から動画を受信すると（ステップＳ６；Ｙｅｓ）、図４（ｃ）に示すような動画が表示画面に表示され、これによって作業者は、チャッキ弁５１ａが正常であるか否かを判断する。作業者が正常であると判断し、正常釦を押下すると（ステップＳ９；Ｙｅｓ）、携帯端末Ｔの動作を終了する。
【００２９】
一方、作業者が図４（ｃ）に示すような動画からチャッキ弁５１ａに異常があると判断し、異常釦を押下した場合には（ステップＳ９；Ｎｏ、ステップＳ１０；Ｙｅｓ）、異常が発生した時間、箇所及び内容等を含む入力画面を携帯端末Ｔの表示画面に表示し、作業者に入力させることでこれらを記録し（ステップＳ１１）、携帯端末Ｔの動作を終了する。
【００３０】
以上の動作より、作業者は、フロントパネルを着脱することなく、内部機構の日常点検を容易に行うことができ、異常が発生するタイミングや、異常が発生するまでの前兆についても記録することができる。尚、チャッキ弁５１ａ以外の他の内部機構についても、ステップＳ２において再生対象を変更することで、同様に日常点検を行うことができる。
【００３１】
（２）撮影動作
携帯端末Ｔにおいて、作業者が通信を開始すると（ステップＳ１；Ｙｅｓ）、携帯端末Ｔ上に図３（ａ）に示す日常点検メニューが表示され、作業者がこの中から内部機構を選択し、図４（ａ）に示す携帯端末Ｔの表示画面において撮影釦を押下し、図４（ｄ）に示す撮影対象として、例えばポンプ軸５１ｂを選択すると（ステップＳ２；Ｎｏ、ステップＳ４；Ｙｅｓ）、選択されたポンプ軸５１ｂの撮影要求を給油装置１に対して出力する（ステップＳ５）。
【００３２】
給油装置１が通信を開始し（ステップＳ２１；Ｙｅｓ）、撮影要求が入力されると（ステップＳ２２；Ｎｏ、ステップＳ２３；Ｙｅｓ）、携帯端末Ｔにおいて選択されたポンプ軸５１ｂの撮影を開始し（ステップＳ２４）、撮影している動画を携帯端末Ｔに対してリアルタイムで送信する（ステップＳ２５）。
【００３３】
携帯端末Ｔは、給油装置１から動画を受信すると（ステップＳ６；Ｙｅｓ）、作業者は動画をリアルタイムで視聴して異常の有無を判断し、上述の（１）再生動作と同様にステップＳ９又は／及びステップＳ１０を行って日常点検を行う。本動作についても、上記（１）再生動作と同様にフロントパネルを着脱することなく、各内部機構の日常点検を容易に行うことができる。
【００３４】
（３）チェックシート発行動作
携帯端末Ｔにおいて、作業者が通信を開始すると（ステップＳ１；Ｙｅｓ）、携帯端末Ｔ上に図３（ａ）に示す日常点検メニューが表示され、作業者がチェックシート作成を選択すると（ステップＳ２；Ｎｏ、ステップＳ４；Ｎｏ、ステップＳ７；Ｙｅｓ）、携帯端末Ｔには、図３（ｄ）に示す画面が表示され、携帯端末Ｔは、チェックシート作成要求と蓄積した日常点検記録とを給油装置１に対して出力し（ステップＳ８）、携帯端末Ｔの動作を終了する。
【００３５】
給油装置１が通信を開始し（ステップＳ２１；Ｙｅｓ）、チェックシートの作成要求が入力されると（ステップＳ２２；Ｎｏ、ステップＳ２３；Ｎｏ、ステップＳ２６；Ｙｅｓ）、この作成要求と共に入力された日常点検記録とを、給油装置１に付設された給油所用販売装置（以下「ＰＯＳ」という）に対して転送し（ステップＳ２７）、給油装置１の動作を終了する。
【００３６】
ＰＯＳにおいて、チェックシートの作成要求が入力されると（ステップＳ３１；Ｙｅｓ）、この作成要求と共に入力された携帯端末Ｔが蓄積した日常点検記録に基づいてチェックシートを作成して保存した後、作成したチェックシートを表示又は印刷する（ステップＳ３２）。以上でＰＯＳの動作を終了する。
【００３７】
また、給油装置１の外観について日常点検を行った場合についても、作業者が図３（ａ）に示す携帯端末Ｔにおいて表示される外観を選択し、図３（ｂ）に示す表示画面において点検対象を選択し、図３（ｃ）に示す表示画面において点検対象毎に正常／異常を入力することで、上記監視装置を用いた日常点検と同様に、作業者が入力した日常点検記録を携帯端末Ｔから給油装置１を介してＰＯＳに送信し、上記チェックシートに反映させることができる。
【００３９】
上記実施の形態においては、カメラ６２、６３及びマイクロフォン７２、７３によって、チャッキ弁５１ａ及びポンプ軸５１ｂの画像と音声の両方を検出する場合について説明したが、どちらか一方を検出するようにカメラ又はマイクロフォンを配置してもよい。さらに、（１）再生動作や（２）撮影動作において、動画を再生／撮影する場合について説明したが、静止画を再生／撮影してもよい。
【００４０】
また、上記カメラ６１〜６４を、先端に超小型撮像素子（ＣＣＤ）が設けられたファイバースコープによって構成することができる。これにより、電気接続部分を下部ケース５外に配置することができるため、下部ケース５を防爆構造とせずに済ますことができる。
【符号の説明】
【００４１】
１  給油装置
２  ハウジング本体
３  上部ケース
４  給油制御機器
４ａ  送受信手段
４ｂ  画像制御手段
４ｃ  給油制御手段
５  下部ケース
６（６Ａ〜６Ｃ）  給油機構
５０  給油管
５１  給油ポンプ
５１ａ  チャッキ弁
５１ｂ  ポンプ軸
５１ｃ  吐出口
５２  給油モータ
５３  流量計
６１〜６４  カメラ
７１〜７３  マイクロフォン
１０  アイランド
１１  給油ピット
Ｔ  携帯端末
【図１】
0006460481.tif 000002
【図２】
0006460481.tif 000003
【図３】
0006460481.tif 000004
【図４】
0006460481.tif 000005